(57)【要約】【課題】ドコモ社の携帯電話では公私分計のためには、煩わしい精算処理が発生したり、定額又は通話毎に余計なコストを要したり、大がかりなシステムを用意しないと出来ない。【解決手段】携帯電話が持っている「電話帳引用」機能を使い相手先電話番号を本プログラムに通知し、ｉモードのｃｔｉコマンドを使って本装置へＤＴＭＦトーンを使って相手先電話番号を通知する事により、公私分計（コールバック中継発信機能により通話料金は本装置が受け持つ）を可能にする。【選択図】図１
2007318703.tif 000002
【特許請求の範囲】
【請求項１】
携帯電話が持っている「電話帳引用」機能を使い相手先電話番号を本プログラムに通知し、ｉモードのｃｔｉコマンドを使って本装置へＤＴＭＦトーンを使って相手先電話番号を通知する事により、ドコモ社の携帯電話で公私分計（コールバック中継発信機能による通話料金は本装置が受け持つ）を可能にする。
【発明の詳細な説明】
【技術分野】
【０００１】  この発明は、携帯電話（ＮＴＴドコモ社）の通話料金を公私に分ける手段として、本システムを利用する事により、携帯電話の電話帳情報を使って通話しても通話料金を本装置が受け持つ事が出来るものである。
【背景技術】
【０００２】  近年、携帯電話を使って公私とも利用する機会が多くなっている。【０００３】  個人所有の携帯電話で社用電話（以後、公用と呼ぶ）をかける事が有り通話料金の分担が問題となる。【０００４】  ドコモ社の携帯電話で既存の公私分計方法としては、分計用の「特番」を付加して発信する方法、複数の電話番号を携帯電話に割り当て発信番号で料金を分ける（マルチナンバー）、電話帳サーバーを設置し利用者はその電話帳サーバーにパケット通信で発信指示を出してコールバックで通話するシステムが有る。【０００５】  前記方式を利用する場合、月額使用料や料金明細作成料が必要となる。【０００６】  また電話帳サーバーを用意する場合、システムが大がかりとなり設備費用・維持費等が高額となる。【０００７】  公私分計のためには、煩わしい精算処理が発生したり、定額又は通話毎に余計なコストを要している。【０００８】  対策として、前記サービスの利用・電話帳サーバーを設置せずに、ｉアプリやｉモードを使って個人所有の携帯電話の電話帳データを参照又は引用してコールバック端末を用意して、その端末を経由して相手先へ電話をかける方法（以後、コールバック中継発信と呼ぶ）が考えられる。
【発明の開示】
【発明が解決しようとする課題】
【０００９】  ところが、次に示す解決すべき課題がある。【００１０】  ドコモ社の携帯電話は、ウイルスや情報搾取対策よりｉアプリやｉモードから直接電話帳データを参照又は引用する事が一般的に仕様上不可能となっている。【００１１】  また、通話を中継する装置へ相手先電話番号を通知する方法が一般的に困難である。【００１２】  この課題を解決するために、通話を中継する装置（コールバック中継発信装置）は、携帯電話から中継装置へまず発信し回線を接続してから目的の相手先電話番号を中継装置に通知し、一端回線を切断する。（図１のａ参照）【００１３】  その後、コールバック中継発信装置からコールバックを携帯電話が受ける。（図１のｂ参照）【００１４】  それから、改めてコールバック中継発信装置が相手先電話へ発信して回線を接続する事により、通話料金はコールバック中継発信装置が持つ事により公的な通話料金を分けることが可能な装置である。（図１のｃ参照）【００１５】  この発明の目的は、ドコモ社の携帯電話の電話帳を使って発信し、通話料金を公私に分けること（コールバック通話中継発信）を実現することにある。
【課題を解決するための手段】
【００１６】  上記目的を達成するための第１段階として、ドコモ社の携帯電話の電話帳情報を利用するために、本発明であるプログラムのテキストフィールドをオープンし、ユーザーがそのテキストフィールドを選択し、携帯電話の「機能」ボタンを押下、「電話帳引用」を選択して“携帯電話の電話帳を起動”、名前検索、相手先確定、その相手先の「電話番号」選択を行うと、前記テキストフィールドに相手先電話番号を貼り付ける事により実現する。【００１７】  次に、コールバック中継発信装置（本機）に相手先電話番号を通知する方法として、先のテキストフィールドに貼り付けられた相手先電話番号を本プログラム表示の「確定」ボタンをユーザーが押下すると、プログラムが「発信」を意図するボタンを表示し、ユーザーがその「発信」ボタンを押下すると、本プログラムは、ｃｔｉ＝“本機の電話番号／相手先電話番号”コマンドを使い、本機へ発信して通話状態にしてからＤＴＭＦトーン信号で相手先電話番号を本機へ通知する。【００１８】  また、本プログラムは相手先電話番号の最後に電話番号通知終了を表す＃トーン信号を付加する。【００１９】  本機は、電話番号通知終了を表す＃トーン信号を受信すると、相手先電話番号受信を完了し、携帯電話へ完了音を通知する。【００２０】  ユーザーは完了音を確認後に携帯電話の回線を切断する。【００２１】  本機は回線断を確認後に携帯電話へコールバックを行い、ユーザーがオフフックすると、本機はＤＴＭＦトーン信号で受けた相手先電話番号へ発信する。【００２２】  この様にして、携帯電話の電話番号帳を使ってコールバック中継発信を可能にする。
【発明の効果】
【００２３】  この発明により、大がかりな装置や付加料金の要するサービスを用意しなくても、本装置と専用プログラムを用意すればドコモ社の携帯電話で電話帳を使って通話料金を公私に分ける事が可能になる。
【発明を実施するための最良の形態】
【００２４】  本発明の実施するための最良の形態を図面に基づき詳細に説明する。【００２５】  図１は本発明のシステム構成を示す。【００２６】  図１において、１は本発明の専用プログラムをインストールしたドコモ社の携帯電話、２はコールバック中継発信装置、３は電話機である。【００２７】  図１において、ａ、ｂ、ｃは発信の順番である。【００２８】  図１において、ＴｅｌＮｏ１は携帯電話１の電話番号、ＴｅｌＮｏ２はコールバック中継発信装置の電話番号、ＴｅｌＮｏ３は相手先の電話番号である。【００２９】  図１に示すように、本発明は専用プログラムをインストールした携帯電話（ドコモ社）とコールバック中継発信装置で構成されている。【００３０】  図２において、Ｓ２１、Ｓ２２、Ｓ２３は携帯電話の運用準備を示す。【００３１】  本プログラムをインストールした携帯電話１はコールバック中継発信装置２の電話番号（ＴｅｌＮｏ２）を設定する。【００３２】  図２において、Ｓ２４はコールバック中継発信装置（本機）の運用準備を示す。【００３３】  本機にコールバックを許可する携帯電話１の電話番号（ＴｅｌＮｏ１）を設定する。【００３４】  図３において、本プログラムで相手先電話番号の決定から本機へ発信するまでを示す。【００３５】  ユーザーが携帯電話１で本プログラムを起動する。【００３６】  Ｓ３１において、本プログラムは電話番号入力フィールドをオープンし、ユーザーがそのフィールドを選んで「選択」ボタンを押下する。【００３７】  Ｓ３２において、ユーザーは“文字入力フィールド”画面で「機能」ボタンを押下する。【００３８】  Ｓ３３において、携帯電話が表示するサブメニュー内の「電話帳引用」を選んで「選択」ボタンを押下し“携帯電話の電話帳を起動”する。【００３９】  Ｓ３４において、“電話帳”画面で名前検索・相手先を決定し「選択」ボタンを押下する。【００４０】  Ｓ３５において、「電話帳項目選択」画面で相手先の「電話番号」を選び「選択」ボタンを押下する。【００４１】  Ｓ３６において、前記入力フィールドに電話番号（ＴｅｌＮｏ３）が貼り付けられるので「確定」ボタンを押下する。【００４２】  Ｓ３７において、相手先電話番号（ＴｅｌＮｏ３）が確定する。【００４３】  Ｓ３８において、ユーザーは「発信」ボタンを選ぶと、本プログラムは本機（ＴｅｌＮｏ２）へ発信する。【００４４】  Ｓ３９１において、本プログラムの発信要求に対して携帯電話は発信確認表示を行い、ユーザーが「はい」を選び「選択」ボタンを押下すると、本機（ＴｅｌＮｏ２）へ発信する。【００４５】  図４において、コールバック中継発信の開始から通話までを示す。【００４６】  Ｓ４１において、携帯電話からの発信（ＴｅｌＮｏ２）を本機が着信すると発信者番号（ＴｅｌＮｏ１）の通知を受けてコールバックを許可する携帯電話かどうか確認する。【００４７】  Ｓ４２において、コールバックを許可しない電話番号（ＴｅｌＮｏ１以外）であれば回線ビジーとして回線を接続しない。【００４８】  Ｓ４３において、コールバックを許可する電話番号（ＴｅｌＮｏ１）であれば回線を接続する。【００４９】  Ｓ３９２において、携帯電話は相手先電話番号（ＴｅｌＮｏ３）を表示してＤＴＭＦ��ーン発信確認する。【００５０】  ユーザーは携帯電話の発信確認の表示を確認の上、携帯電話の「発信」ボタンを押下する。【００５１】  Ｓ４４において、携帯電話から相手先電話番号をＤＴＭＦトーンで送信する。【００５２】  Ｓ４５において、携帯電話から相手先電話番号の最後に“＃”トーンを送信する。【００５３】  Ｓ４６において、本機は携帯電話へ完了音を送信して、相手先電話番号を受け取った事を通知する。【００５４】  Ｓ４７において、ユーザーは本機からの完了音を確認後、ユーザーから回線を切断して本機からのコールバックを待つ。【００５５】  また、その時点で本プログラムは終了する。【００５６】  ユーザーは本機からの完了音を確認出来なければ、コールバック中継発信を失敗したと判断する。【００５７】  Ｓ４８において、本機は回線切断を検出後してからコールバックを開始し携帯電話（ＴｅｌＮｏ１）へ発信し、携帯電話は鳴動する。【００５８】  Ｓ４９において、ユーザーは携帯電話をオフフックする。【００５９】  Ｓ５０において、本機は携帯電話のオフフックを検出後、先に受けた相手先電話番号（ＴｅｌＮｏ３）へ発信する。【００６０】  Ｓ５１において、相手先が電話をオフフックする。【００６１】  Ｓ５２において、携帯電話と相手先が本機を通して通話が可能となる。【００６２】  この様にして、携帯電話の電話帳を使って相手先へ発信・通話し、コールバック通話中継発信（通話料金は本装置が受け持ち）を実現する。
【図面の簡単な説明】
【００６３】
【図１】実施形態に係るコールバック中継発信の構成である。
【図２】本プログラムと本機の利用前の準備である。
【図３】携帯電話の画面進行である。
【図４】コールバック中継発信の動作シーケンスである。
【符号の説明】
【００６４】  １            専用プログラムをインストールした携帯電話（ＮＴＴドコモ社）
２            コールバック中継発信装置
３            相手先電話機
【図１】
2007318703.tif 000003
【図２】
2007318703.tif 000004
【図３】
2007318703.tif 000005
【図４】
2007318703.tif 000006